(57)【要約】【課題】 給紙装置の仕様にかかわらずに、空気の圧力を必要な値に安定して維持することができる給紙装置用ポンプ装置を提供する。【解決手段】  ポンプと給紙装置との間に圧力安定機構31が設けられている。圧力安定機構31は、吸引用空気または吹出し用空気を貯留する垂直筒状の補助缶32と、補助缶32を支持するベース33と、給紙装置との接続用に補助缶32に設けられた給紙装置側配管接続部35と、ポンプとの接続用に補助缶32に設けられたポンプ側配管接続部37とを備えている。【選択図】    図３
0003216292.tif 000002
【実用新案登録請求の範囲】
【請求項１】
用紙を空気の吸引作用により吸着する吸着装置(23)(24)と、用紙をさばくための空気を吹き出す吹出し装置(28)とを備えている給紙装置(21)に設けられるルーツ式ポンプ(3)(4)を有する給紙装置用ポンプ装置であって、
ポンプ(3)(4)と給紙装置(21)との間に圧力安定機構(31)が設けられており、該圧力安定機構(31)は、吸引用空気または吹出し用空気を貯留する垂直筒状の補助缶(32)と、補助缶(32)を支持するベース(33)と、給紙装置(21)との接続用に補助缶(32)に設けられた給紙装置側配管接続部(35)と、ポンプ(3)(4)との接続用に補助缶(32)に設けられたポンプ側配管接続部(37)とを備えていることを特徴とする給紙装置用ポンプ装置。
【請求項２】
ルーツ式ポンプ(3)(4)として、空気吸引用に使用されるもの(3)と、空気吹出し用に使用されるもの(4)との両方が使用されており、圧力安定機構(31)は、少なくとも一方のポンプ(3)(4)と給紙装置(21)との間に設けられていることを特徴とする請求項１の給紙装置用ポンプ装置。
【請求項３】
ルーツ式ポンプ(3)が空気吸引用に使用されるものであり、給紙装置側配管接続部(35)が補助缶(32)の下端に設けられた継手部(34)に接続され、ポンプ側配管接続部(35)が補助缶(32)の上端に設けられた継手部(36)に接続されていることを特徴とする請求項１または２の給紙装置用ポンプ装置。
【請求項４】
給紙装置(21)の配管接続部は、用紙(P)を吸着するサッカー(23)と、用紙(P)を吸着して搬送する給紙ローラ(24)との両方に接続されることを特徴とする請求項３の給紙装置用ポンプ装置。
【請求項５】
給紙装置(21)は、紙折り機に用紙を供給するもの、製袋機に用紙を供給するもの、丁合装置に用紙を供給するもの、無線綴じ製本装置に用紙を供給するもの、および印刷機に用紙を供給するもののいずれかであることを特徴とする請求項１から４までのいずれかに記載の給紙装置用ポンプ装置。
【考案の詳細な説明】
【技術分野】
【０００１】
この考案は、製本、印刷などの分野で使用される給紙装置に適用されるポンプ装置に関し、特に、ルーツ式ポンプを使用した給紙装置用ポンプ装置に関する。
【背景技術】
【０００２】
製本、印刷などの分野で使用される給紙装置として、用紙が積載されるトレイと、用紙を搬送する搬送路と、トレイに積載された用紙に空気を吹出して用紙を浮上させるノズル（吹出し装置）と、浮上させた用紙を吸着するサッカー（吸着装置）と、空気の吹出しと吸引を行なうポンプ装置とを備えているものが知られている（特許文献１）。
【０００３】
また、ポンプ装置としては、ルーツ式ポンプを使用したものが知られている（特許文献２）。
【０００４】
図６に示されているように、ルーツ式ポンプ(40)は、２本の平行な軸上に取り付けられた複数（一般的には３葉）の羽根を持つ１対のロータ(41)(42)を有しており、これらのロータ(41)(42)が長円形のケーシング(43)内面および相互のロータ(41)(42)間にわずかな間隙を保持しつつ、互いに反対方向に等速度で回転することにより、ケーシング(43)とロータ(41)(42)とで囲まれた一定量の容積の空気を一方から吸引して他方から吹き出すものである。
【０００５】
このルーツ式ポンプ(40)は、同じ構成のものが吸引側で仕事をする（例えば、サッカーによって用紙を吸着するために使用される）ことが可能であり（この場合は、「真空ポンプ」と称されることがある）、また、吹出し側で仕事をする（例えば、ノズルによって一番上にある用紙を浮上させる）ことが可能である（この場合は、「ブロワ」と称されることがある）。
【先行技術文献】
【特許文献】
【０００６】
【特許文献１】特開２００１−５８７５７号公報
【特許文献２】特開２０１２−２１４０２号公報
【考案の概要】
【考案が解決しようとする課題】
【０００７】
特許文献２の給紙装置用ポンプ装置によると、ルーツ式であることを生かして、種々の作業を行うことができるが、対象とする給紙装置によっては、空気の圧力が必要な値にならないために、作業効率が落ちるという問題があった。
【０００８】
この考案の目的は、給紙装置の仕様にかかわらずに、空気の圧力を必要な値に安定して維持することができる給紙装置用ポンプ装置を提供することにある。
【課題を解決するための手段】
【０００９】
この考案による給紙装置用ポンプ装置は、用紙を空気の吸引作用により吸着する吸着装置と、用紙をさばくための空気を吹き出す吹出し装置とを備えている給紙装置に設けられるルーツ式ポンプを有する給紙装置用ポンプ装置であって、ポンプと給紙装置との間に圧力安定機構が設けられており、該圧力安定機構は、吸引用空気または吹出し用空気を貯留する垂直筒状の補助缶と、補助缶を支持するベースと、給紙装置との接続用に補助缶に設けられた給紙装置側配管接続部と、ポンプとの接続用に補助缶に設けられたポンプ側配管接続部とを備えていることを特徴とするものである。
【００１０】
ルーツ式ポンプは、吸引側で仕事をする真空ポンプ（空気吸引用ポンプ）であってもよく、吹出し側で仕事をするブロワ（空気吹出し用ポンプ）であってもよい。給紙装置では、通常、真空ポンプおよびブロワの両方が使用されており、圧力安定機構は、真空ポンプおよびブロワのいずれか一方に設けられてもよく、両方に設けられてもよい。また、空気吸引用および空気吹出し用ポンプは、それぞれ別のものであってもよいし、１つのポンプ（ブロワ）の吸引側および吹出し側の両方を使用するものであってもよい。
【００１１】
この考案の給紙装置用ポンプ装置によると、補助缶を備えた圧力安定機構が設けられていることで、給紙装置側から吸引または吹出し能力を高める要求が出てきた場合に、ポンプの容量を大きいものに変更しなくても対応することができる。
【００１２】
ルーツ式ポンプが空気吸引用に使用されるものであり、給紙装置側配管接続部が補助缶の下端に設けられた継手部に接続され、ポンプ側配管接続部が補助缶の上端に設けられた継手部に接続されていることが好ましい。このようにすると、吸引能力を高くすることができる。
【００１３】
ルーツ式ポンプが空気吸引用に使用される場合、給紙装置の配管接続部は、用紙を吸着するサッカーと、用紙を吸着して搬送する給紙ローラとの両方に接続されることがある。この場合、空気の圧力が変動しやすいので、圧力安定機構が設けられたこの考案による給紙装置用ポンプ装置の使用がより好ましいものとなる。
【００１４】
この考案による給紙装置用ポンプ装置は、複数台の機械に対して１または複数台のポンプが対応させられる場合の使用に適しており、紙折り機、製袋機、丁合装置、無線綴じ製本装置、印刷機などへの用紙供給に好適である。このポンプ装置を使用することで、同じ数の機械に対して使用されるポンプの数を減らすことができる。
【考案の効果】
【００１５】
この考案の給紙装置用ポンプ装置によると、垂直筒状の補助缶と、補助缶を支持するベースと、給紙装置との接続用に補助缶に設けられた給紙装置側配管接続部と、ポンプとの接続用に補助缶に設けられたポンプ側配管接続部とを備えている圧力安定機構が設けられていることで、ポンプの容量を大きいものに変更することなく、ポンプの吸引能力および／または吹出し能力を高めることができる。
【図面の簡単な説明】
【００１６】
【図１】図１は、この考案による給紙装置用ポンプ装置を示す正面図である。
【図２】図２は、同側面図である。
【図３】図３は、圧力安定機構を示す正面図である。
【図４】図４は、同側面図である。
【図５】図５は、給紙装置の一例を示す正面図である。
【図６】図６は、ルーツ式ポンプを示す図である。
【考案を実施するための形態】
【００１７】
この考案の実施の形態を、以下図面を参照して説明する。
【００１８】
この考案による給紙装置用ポンプ装置(1)は、図１および図２に示すように、上下２段の載置部(2a)(2b)を有する基台(2)と  基台(2)の下段載置部(2b)に配置されたルーツ式真空ポンプ(3)と、基台(2)の上段載置部(2a)に配置されたルーツ式ブロワ（空気吹出し用ポンプ）(4)と、真空ポンプ(3)のロータを回転させる真空ポンプ用モータ(5)と、ブロワ(4)のロータを回転させるブロワ用モータ(6)とを備えている。
【００１９】
真空ポンプ(3)は、図６に示したもので、吸引側から空気を吸い込んで、吹出し側から吹出しするようになっていて、この際の圧力差によって、吸引側（真空側）で仕事をする。真空ポンプ(3)の吸引側には、フィルタ(7)を備えた吸引側配管(8)が設けられており、真空ポンプ(3)の吹出し側には、吹出し側配管(9)が設けられている。吸引側配管(8)は、フィルタ(7)の入口側に設けられた給紙装置への接続用配管部(8a)を介して給紙装置に接続される。吹出し側配管(9)は、給紙装置には接続されずに、吹出しエアによって真空ポンプ(3)を冷却するために使用されている。
【００２０】
ブロワ(4)は、図６に示したもので、吸引側から空気を吸い込んで、吹出し側から吹出しするようになっていて、この際の圧力差によって、吹出し側で（すなわちブロアとして）仕事をするもので、ブロワ(4)の吸引側には、フィルタ(10)を備えた吸引側配管(11)が設けられており、ブロワ(4)の吹出し側には、サイレンサー(12)を備えた吹出し側配管(13)が設けられている。吹出し側配管(13)は、サイレンサー(12)の出口側に設けられた給紙装置への接続用配管部(13a)を介して給紙装置に接続される。
【００２１】
上記の給紙装置用ポンプ装置(1)は、紙折り機などにおいて用紙を給紙する給紙装置で使用するのに適している。このような給紙装置においては、用紙の吸着や搬送を空気の吸引作用を利用したサッカーや給紙ローラなどの吸着装置によって行い、用紙の捌きを空気の吹出し作用を利用したノズルなどの吹出し装置によって行うようになっている。空気の吸引には、真空ポンプ(3)が使用され、空気の吹出しには、ブロワ(4)が使用される。
【００２２】
図５に給紙装置(21)の一部を示している。図５において、給紙装置(21)は、用紙が積載されるトレイ(22)と、最上段の用紙(P)の一端部を吸着するサッカー（吸着装置の一例）(23)と、最上段の用紙(P)の他端部を吸着して搬送路（図示略）に供給する給紙ローラ（吸着装置の他の例）(24)と、吸引制御を行うコントローラ(25)と、吸引側配管接続部(26)と、吹出し側配管接続部(27)と、最上段の用紙(P)の近傍に矢印で示す方向に空気を噴射するノズル（吹出し装置の一例）(28)とを備えている。
【００２３】
サッカー(23)は、用紙を吸着して上昇させるもので、所定位置まで上昇すると、内部への空気の流入により用紙吸着力を低減させるようになっている。
【００２４】
給紙ローラ(24)は、吸気孔から空気を吸引して用紙を吸着しつつ回転することにより用紙を進行方向に移動させるようになっている。
【００２５】
ノズル(28)は、空気の吹出しによって最上段の用紙(P)をその下側にある用紙から浮き上がらせるもので、これによって、用紙が重なった状態で給紙されることが防止される。
【００２６】
従来の給紙装置では、吸引側配管接続部(26)が真空ポンプ(3)に直接接続され、吹出し側配管接続部(27)がブロワ(4)に直接接続されていた。ここで、図５に示した給紙装置(21)では、サッカー(22)および給紙ローラ(23)の２つの吸着装置を使用しているため、真空ポンプ(3)の容量が小さいと、必要な圧力が得られないということが起きる。
【００２７】
この考案による給紙装置用ポンプ装置(1)は、真空ポンプ(3)の容量を大きいものに変更することなく、必要な圧力を得ることを可能としたもので、従来のポンプ装置に、図３および図４に示す圧力安定機構(31)が追加されたものである。
【００２８】
圧力安定機構(31)は、吸引用空気または吹出し用空気を貯留する垂直円筒状の補助缶(32)と、補助缶(32)の下端部を支持するベース(33)と、給紙装置(21)との接続用に補助缶(32)の下端に設けられた継手部(34)に接続された給紙装置側配管接続部(35)と、真空ポンプ(3)との接続用に補助缶(32)の上端に設けられた継手部(36)に接続されたポンプ側配管接続部(37)とを備えている。
【００２９】
圧力安定機構(31)は、給紙装置(21)に設けられたポンプ接続部が補助缶(32)を介して真空ポンプ(3)および／またはブロワ(4)に接続されることにより、その機能が発揮される。
【００３０】
真空ポンプ(3)およびブロワ(4)としては、いずれも、ルーツ式のブロワと称されて市販されているものを使用することができ、また、真空ポンプ(3)およびブロワ(4)に代えて、ルーツ式ブロワを１つだけを使用し、吸引側（真空側）でも仕事をして、吹出し側（ブロワ側）でも仕事をするようにすることもできる。
【００３１】
圧力安定機構(31)が設けられていることで、得られる吸気側および吹出し側の空気の圧力が安定し、真空ポンプ(3)および／またはブロワ(4)の容量を大きいものに変更することなく、真空ポンプ(3)および／またはブロワ(4)の吸引能力および吹出し能力を高めることができる。したがって、給紙装置(21)の仕様にかかわらずに、空気の圧力を必要な値に安定して維持することができる。
【００３２】
ここで、圧力安定機構(31)は、真空ポンプ(3)だけに設けられてもよく、ブロワ(4)だけに設けられてもよく、真空ポンプ(3)およびブロワ(4)の両方に設けられてもよい。
【００３３】
なお、図５に示した給紙装置(21)は、一例であり、上記圧力安定機構(31)は、種々の給紙装置に適用できることはもちろんである。
【００３４】
例えば、給紙装置は、紙折り機に用紙を供給するもの、製袋機に用紙を供給するもの、丁合装置に用紙を供給するもの、無線綴じ製本装置に用紙を供給するもの、および印刷機に用紙を供給するもののいずれかとされる。
【００３５】
紙折り機、製袋機、丁合装置、無線綴じ製本装置および印刷機などの機械においては、その付属装置や用紙サイズに応じて、ポンプに求められる仕様が多種にわたっており、その給紙装置として、補助缶(32)を備えた圧力安定機構(31)を有するポンプ(3)(4)を使用するとともに、圧力安定機構(31)を空気吸引用だけに使用するか、空気吹出し用だけに使用するか、両方に使用するかを使い分けることで、従来困難であった給紙を可能とすることができる。また、複数台の機械に対して複数台のポンプが対応させられている使用形態において、ポンプの数を減少することもできる。
【符号の説明】
【００３６】
(1)：給紙装置用ポンプ装置
(3)：真空ポンプ
(4)：ブロワ（空気吹出し用ポンプ）
(8)：吸引側配管
(8a)：給紙装置への接続用配管部
(13)：吹出し側配管
(13a)：給紙装置への接続用配管部
(21)：給紙装置
(23)：サッカー（吸着装置）
(24)：給紙ローラ（吸着装置）
(26)：吸引側配管接続部
(27)：吹出し側配管接続部
(28)：ノズル（吹出し装置）
(31)：圧力安定機構
(32)：補助缶
(33)：ベース
(34)：下端継手部
(35)：給紙装置側配管接続部
(36)：上端継手部
(37)：ポンプ側配管接続部
【図１】
0003216292.tif 000003
【図２】
0003216292.tif 000004
【図３】
0003216292.tif 000005
【図４】
0003216292.tif 000006
【図５】
0003216292.tif 000007
【図６】
0003216292.tif 000008